(57)【要約】【課題】  テーブルを低い位置に折り畳んだ状態でスタッキングすることができ、もって高さが制限された収容空間に、多数の椅子を安定して収容することができるとともに、構造が簡単で、かつ操作性のよいテーブル付き椅子を提供する。【解決手段】  座８を支持する脚体１の一側上部に、テーブル１７を、座８の前上方においてほぼ水平をなす使用位置Ａと、外下方に向かって傾斜する第１折り畳み位置Ｃ１とに移動可能として装着する。【選択図】  図１
2005245868.tif 000002
【特許請求の範囲】
【請求項１】
座を支持する脚体の一側上部に、テーブルを、座の前上方においてほぼ水平をなす使用位置と、外下方に向かって傾斜する折り畳み位置とに移動可能として装着したことを特徴とするテーブル付き椅子。
【請求項２】
脚体の一側上部に、ほぼ前後方向を向く枢軸を固定し、この枢軸にテーブルを、使用位置と、前記枢軸から外下方に向かって傾斜する折り畳み位置とに回動可能として枢着した請求項１記載のテーブル付き椅子。
【請求項３】
脚体の一側上部に固定したほぼ前後方向を向く第１枢軸に、上下方向を向く第２枢軸を枢着し、この第２枢軸にテーブルを枢着することにより、テーブルを、使用位置から第１枢軸を中心として上方に回動させたはね上げ位置と、このはね上げ位置からほぼ左右方向を向いた第２枢軸を中心として折り畳み位置に、またその逆方向に回動可能とした請求項１記載のテーブル付き椅子。
【請求項４】
第１枢軸と第２枢軸との間に、テーブルが折り畳み位置に位置するときの第１枢軸に対する第２枢軸の角度位置で第２枢軸を弾圧保持する弾圧保持手段を設けた請求項３記載のテーブル付き椅子。
【請求項５】
脚体の一側部より前上方に延出する支持杆の上端部に、前方を向くテーブル支持軸と後方を向く肘掛け支持軸とを設け、前記テーブル支持軸にテーブルを装着し、かつ肘掛け支持軸に肘掛けを装着した請求項１〜４のいずれかに記載のテーブル付き椅子。
【請求項６】
脚体の上方に設けたほぼ前後方向を向く肘掛け支持軸に、肘掛けを、ほぼ水平の使用位置と、外下方に向かって傾斜する折り畳み位置とに回動可能として装着した請求項５記載のテーブル付き椅子。
【請求項７】
脚体を、前方または側方から見て下方に向かって拡開する形状とし、構造および形状を同一とした複数のテーブル付き椅子を上下方向に積み重ねたとき、下段の脚体の少なくとも一部が上段の脚体内に下方より嵌合するようにした請求項１〜６のいずれかに記載のテーブル付き椅子。
【発明の詳細な説明】
【技術分野】
【０００１】
本発明は、小型のテーブルを折り畳み可能に装着したテーブル付き椅子、特に、構造および形状を同一とした複数のテーブル付き椅子同士を、上下に積み重ねて収容する、いわゆるスタッキングを可能としたテーブル付き椅子に関する。
【背景技術】
【０００２】
テーブルを折り畳み可能に装着した従来のテーブル付き椅子としては、肘掛け部分に配設した前後方向を向く軸に、テーブル（メモ台、卓板を含む）を、ほぼ水平の使用位置と、上方にはね上げた折り畳み位置とに回動可能として装着したものが一般的である（例えば特許文献１〜３参照）。
【０００３】
また、各テーブルを折り畳み位置にはね上げた状態で、構造および形状を同一とした複数のテーブル付き椅子を、上下方向に積み重ねて収容する、いわゆるスタッキングを可能としたものもある（例えば特許文献４参照）。
【特許文献１】実開昭５８−８００６０号公報
【特許文献２】実開昭５８−９５７５６号公報
【特許文献３】実開昭５８−１８７３４７号公報
【特許文献２】実公昭５６−４１５８０号公報（図６および図７）
【発明の開示】
【発明が解決しようとする課題】
【０００４】
しかし、上記特許文献４に記載されているもののように、従来のスタッキング可能なテーブル付き椅子は、テーブルをはね上げた状態でスタッキングするので、全体の高さが高くなり、高さが制限された収容空間に、多数の椅子を収容することができず、しかも、安定性が悪い。
【０００５】
本発明は、従来の技術が有する上記のような問題点に鑑み、テーブルを低い位置に折り畳んだ状態でスタッキングすることができ、もって高さが制限された収容空間に、多数の椅子を安定して収容することができるとともに、構造が簡単で、かつ操作性のよいテーブル付き椅子を提供することを目的としている。
【０００６】
また、本発明は、肘掛けを、テーブルとともに、本来の使用位置からスタッキングに適切な位置に移動しうるようにしたテーブル付き椅子を提供することを目的としている。
【課題を解決するための手段】
【０００７】
本発明によると、上記課題は、次のようにして解決される。
（１）座を支持する脚体の一側上部に、テーブルを、座の前上方においてほぼ水平をなす使用位置と、外下方に向かって傾斜する折り畳み位置とに移動可能として装着する。
【０００８】
（２）上記(１)項において、脚体の一側上部に、ほぼ前後方向を向く枢軸を固定し、この枢軸にテーブルを、使用位置と、前記枢軸から外下方に向かって傾斜する折り畳み位置とに回動可能として枢着する。
【０００９】
（３）上記(１)項において、脚体の一側上部に固定したほぼ前後方向を向く第１枢軸に、上下方向を向く第２枢軸を枢着し、この第２枢軸にテーブルを枢着することにより、テーブルを、使用位置から第１枢軸を中心として上方に回動させたはね上げ位置と、このはね上げ位置からほぼ左右方向を向いた第２枢軸を中心として折り畳み位置に、またその逆方向に回動可能とする。
【００１０】
（４）上記(３)項において、第１枢軸と第２枢軸との間に、テーブルが折り畳み位置に位置するときの第１枢軸に対する第２枢軸の角度位置で第２枢軸を弾圧保持する弾圧保持手段を設ける。
【００１１】
（５）上記(１)〜(４)項のいずれかにおいて、脚体の一側部より前上方に延出する支持杆の上端部に、前方を向くテーブル支持軸と後方を向く肘掛け支持軸とを設け、前記テーブル支持軸にテーブルを装着し、かつ肘掛け支持軸に肘掛けを装着する。
【００１２】
（６）上記(４)項に従属する(５)項において、脚体の上方に設けたほぼ前後方向を向く肘掛け支持軸に、肘掛けを、ほぼ水平の使用位置と、外下方に向かって傾斜する折り畳み位置とに回動可能として装着する。
【００１３】
（７）上記(１)〜(６)項のいずれかにおいて、脚体を、前方または側方から見て下方に向かって拡開する形状とし、構造および形状を同一とした複数のテーブル付き椅子を上下方向に積み重ねたとき、下段の脚体の少なくとも一部が上段の脚体内に下方より嵌合するようにする。
【発明の効果】
【００１４】
請求項１記載の発明によれば、テーブルを、折り畳み位置としたとき、テーブルは外下方に向かって垂下するので、その状態で、構造および形状を同一とした複数のテーブル付き椅子を上下方向に積み重ねることにより、上下のテーブル同士が互いに干渉することなく、平行をなして接近することができ、高さが制限された収容空間に、多数の椅子を安定してスタッキングすることができる。
【００１５】
請求項２記載の発明によれば、テーブルを、単に外向きに回動させるだけで、使用位置から折り畳み位置へ簡単に移動させることができるとともに、構造を簡素化することができる。
また、テーブルは、折り畳み位置としたとき、枢軸から外下方に向かって垂下するので、従来の枢軸より上方にはね上げて停止させるものより低い位置にテーブルを折り畳むことができ、安定性が増す。
【００１６】
請求項３記載の発明によれば、テーブルを、使用位置から第１枢軸を中心として上方にはね上げ、次いでそのはね上げ位置から第１枢軸を中心として折り畳み位置まで回動させることにより、テーブルを、椅子の幅から外側方にさほどはみ出すことなく、使用位置と折り畳み位置との間を移動させることができる。
したがって、テーブルの移動途中に、テーブルが隣席のテーブルや肘掛け等に当接するといったおそれがなく、安全である。
【００１７】
請求項４記載の発明によれば、テーブルが、折り畳み位置やはね上げ位置から妄りに移動するのを防止することができるとともに、操作者にテーブルの最適な停止位置を知らせることができる。また、テーブルの過剰回動を防止することができるので、テーブルが椅子の幅から外側方にはみ出して、隣席のテーブルや肘掛け等に当接するといったおそれをなくすことができ、安全である。
【００１８】
請求項５記載の発明によれば、単一の支持杆により、テーブルと肘掛けとを、それらが互いに干渉し合うことなく、バランスよく支持することができ、構造を簡素化することができる。
【００１９】
請求項６記載の発明によれば、肘掛けを、テーブルと同様に、外下方に向かって傾斜する折り畳み位置に移動させることができるので、肘掛けがスタッキングの妨げとなることがなく、高さが制限された収容空間に、多数の椅子をスタッキングすることができる。
【００２０】
請求項７記載の発明によれば、テーブルの支持構造と併せて、脚体をこのような構造とすることにより、椅子全体としてのスタッキングが可能となる。
【発明を実施するための最良の形態】
【００２１】
以下、本発明の実施形態を、図面に基づいて説明する。
図１〜図１２は、本発明の第１の実施形態を示す。
図１〜図３に示すように、この椅子の脚体(１)は、後傾する左右１対の前脚(２)(２)と、その外側に配設された前傾する左右１対の後脚(３)(３)との上端部同士を、左右方向を向く連結杆(４)と、その両端に結合された連結部材(５)(５)とをもって互いに連結することにより形成されている。
【００２２】
この例では、後脚(３)(３)を前脚(２)(２)の外側に配設するとともに、脚体(１)を、平面視において後方に向かって拡開する形状としてあるが、逆に、前脚(２)(２)を後脚(３)(３)の外側に配設して、脚体(１)を、平面視において前方に向かって拡開する形状としてもよい。
また、各前脚(２)および後脚(３)の下端には、必要に応じてキャスター（図示略）を装着することもある。
【００２３】
左右の連結部材(５)(５)より前脚(２)(２)の延長線に沿って後上方に延出する左右１対の背杆(６)(６)の上端部により、背凭れ(７)の両側部が支持されている。
左右の連結部材(５)(５)の後部には、座(８)の後部が左右方向を向く軸（図示略）をもって枢着され、座(８)は、図３に示すように、下面が連結杆(４)の上面に当接して、ほぼ水平をなす使用位置と、図４に示すように、背凭れ(７)の前面に当接して停止するはね上げ位置との間を、上記軸を中心として回動可能となっている。
【００２４】
一方（この例では図１における左方）の連結部材(５)より後脚(３)の延長線に沿って前上方に延出する筒状の支持杆(９)の上端には、図５以下、特に図６に示すような、アルミニュウム軽合金、もしくはその他の金属、または硬質合成樹脂材料等からなる支持キャップ(10)が嵌着されており、この支持キャップ(10)の前端には、前方よりわずかに内方を向くテーブル支持軸(11)が、また上部には、後方より若干外側方を向く肘掛け支持軸(12)がそれぞれ設けられている。この支持キャップ(10)におけるテーブル支持軸(11)および肘掛け支持軸(12)の平面視における向きは、後脚(３)の平面視における向きと同一とするのが好ましい。
【００２５】
肘掛け支持軸(12)には、肘掛け(13)が、図２および図３に実線で示すように、ほぼ水平の使用位置と、図２および図３に想像線で示すように、後部が前部より外側方に偏倚するように傾斜するとともに、前方から見て外下方に向かって傾斜する折り畳み位置とに回動可能として装着されている。
この肘掛け支持軸(12)への肘掛け(13)の具体的な装着構造は、本発明には直接関係しないので、詳細な説明は省略するが、例えば、本出願人の先願に係る特願２００３−３０５３７７号(特開２００５−            号公報)の願書に添付した明細書および図面に記載されているような構造とするのが好ましい。
【００２６】
テーブル支持軸(11)は、後部が前部より外側方に偏倚するようにわずかに傾斜したほぼ前後方向を向く第１枢軸をなし(以下第１枢軸(11)という)、この第１枢軸(11)には、それと直交する方向(図７および図８における上方)を向く第２枢軸(14)の下端の拡径段部(14a)(図５参照)に設けられた軸孔(15)が枢嵌されている。
第１枢軸(11)と第２枢軸(14)との枢嵌部の外周には、第１枢軸(11)に外嵌する第１筒部(16)の前端に、第２枢軸(14)の拡径段部(14a)を受支する有底の第２筒部(16)が連設された外装体(16)が嵌着されている。
【００２７】
第２枢軸(14)には、テーブル(17)における天板(18)の下面にねじ(19)をもって固着されたブラケット(20)に穿設された、図７および図８における上下方向を向く軸孔(21)がブッシュ(22)を介して枢嵌されている。
【００２８】
かくして、天板(18)とブラケット(20)とを備えるテーブル(17)は、図１〜図３に実線で示すように、座(８)の前上方においてほぼ水平をなす使用位置(Ａ)から、第１枢軸(11)を中心として、図１〜図３に想像線で示すように、ほぼ真上かまたは若干内向き傾斜する中間位置(Ｂ１)を越えて、同じく想像線で示すように、外上向き傾斜するはね上げ位置(Ｂ２)まで回動することができるとともに、中間位置(Ｂ１)またははね上げ位置(Ｂ２)から、そのときほぼ左右方向を向く第２枢軸(14)を中心として、図１〜図３に想像線で示すように、ほぼ第１枢軸(11)の位置から外下方に向かって傾斜する第１折り畳み位置(Ｃ１)または、同じく想像線で示すように、ほぼ第１枢軸(11)の位置から真下を向くかまたは内下方に向かって傾斜する第２折り畳み位置(Ｃ２)まで、後方に向かってほぼ１８０°回動することができる。
第１折り畳み位置(Ｃ１)および第２折り畳み位置(Ｃ２)に位置しているとき、テーブル(17)は、後部が前部より外側方に偏倚するようにして、第１枢軸(11)から垂下している。
【００２９】
テーブル(17)が使用位置(Ａ)に位置しているとき、天板(18)の上面が使用位置としているときの肘掛け(13)の上面とほぼ等高をなすようにするのが好ましい。しかし、天板(18)の上面を肘掛け(13)の上面より下位として、パソコンのマウスの操作等に便利なようにしてもよい。
【００３０】
図５〜図９、特に図８および図９に示すように、第１枢軸(11)と第２枢軸(14)との間には、第１枢軸(11)回りのテーブル(17)の回動範囲を、使用位置(Ａ)からはね上げ位置(Ｂ２)までの範囲に規制する第１規制手段(23)が設けられている。
【００３１】
この例では、第１規制手段(23)は、第２枢軸(14)の拡径段部(14a)の内側面から下面にかけて、軸孔(15)に達するように切設されたスリット(24)と、第１枢軸(11)の前端部に設けられたねじ孔(25)に雄ねじ部(26a)が螺着され、かつ雄ねじ部(26a)の基端に設けられた拡径頭部(26b)がスリット(24)に嵌合するようにした有頭ねじ(26)とを備え、図８に示すように、テーブル(17)が使用位置(Ａ)のときは、拡径頭部(26b)の上面にスリット(24)の上端が当接して、テーブル(17)の下向き傾斜を阻止し、図９に示すように、テーブル(17)がはね上げ位置(Ｂ２)に達したときは、拡径頭部(26b)の下面にスリット(24)の下端が当接して、テーブル(17)のそれ以上の外側方への回動を阻止するようになっている。
外装体(16)における第２筒部(16b)の底部には、有頭ねじ(26)を第１枢軸(11)に着脱するための作業孔(27)が設けられている。
【００３２】
図５および図７〜図９に示すように、第２枢軸(14)とブラケット(20)との間には、第２枢軸(14)回りのテーブル(17)の回動範囲を、中間位置(Ｂ１)またははね上げ位置(Ｂ２)から、第１折り畳み位置(Ｃ１)または第２折り畳み位置(Ｃ２)までの範囲に規制する第２規制手段(28)が設けられている。
【００３３】
この例では、第２規制手段(28)は、ブラケット(20)の上面における軸孔(21)の上端に設けられ、かつ内面の一部に、求心方向に突出する扇形の内向き突部(29a)が設けられた拡径段孔(29)と、ほぼ円形の外周の一部に、扇形をなして外方に突出する外向き突部(30a)が形成され、かつ中央に穿設された角孔(31)が、第２枢軸(14)の上端に突設された角軸(14b)に嵌合された停止板(30)と、停止板(30)をスプリングワッシャ(32)を介して第２枢軸(14)の上端面に押し付ける押え板(33)と、押え板(33)を角軸(14b)の上端面に固定する止めねじ(34)とを備えている。
【００３４】
内向き突部(29a)および外向き突部(30a)の求心角度をそれぞれ９０°とし、テーブル(17)が使用位置(Ａ)、中間位置(Ｂ１)またははね上げ位置(Ｂ２)に位置しているときは、ブラケット(20)の内向き突部(29a)の一方の側端面が停止板(30)の外向き突部(30a)の一方の側端面に当接して、テーブル(17)の前方への回動が阻止され、またそれらの位置からテーブル(17)が後方にほぼ１８０°回動して第１折り畳み位置(Ｃ１)または第２折り畳み位置(Ｃ２)に達すると、ブラケット(20)の内向き突部(29a)の他方の側端面が停止板(30)の外向き突部(30a)の他方の側端面に当接して、テーブル(17)のそれ以上の回動が阻止されるようになっている。
【００３５】
図５〜図７、および図１０に示すように、第１枢軸(11)が固嵌された支持キャップ(10)と外装体(16)との間には、テーブル(17)が第１折り畳み位置(Ｃ１)と第２折り畳み位置(Ｃ２)とに位置しているとき、第２枢軸(14)を介してテーブル(17)をそれらの位置に弾圧保持する弾圧保持手段(35)が設けられている。
【００３６】
この例では、弾圧保持手段(35)は、支持キャップ(10)における第１枢軸(11)と同軸の筒部(10a)の外周に設けられた軸線方向を向く２条の凹条(36)(36)と、図１０に示すように、外装体(16)における第１筒部(16a)の内面に設けられたほぼ半円弧状の凹部(37)内に配設され、両端の外向き折曲部(38a)(38a)が、第１筒部(16a)の内面における凹部(37)の両側に設けられた軸線方向を向く係合溝(39)(39)にそれぞれ係合され、かつ中央部を内向きにＶ字状に折曲して形成した内向き突部(38b)が２条の凹条(36)(36)に選択的に係合しうるようにした板ばね(38)とを備え、テーブル(17)が第１折り畳み位置(Ｃ１)に達したとき、板ばね(38)の内向き突部(38b)がいずれか一方の凹条(36)に係合し、テーブル(17)が第２折り畳み位置(Ｃ２)に達したとき、内向き突部(38b)が他方の凹条(36)に係合することにより、テーブル(17)をそれらの位置に弾圧保持することができるようになっている。
【００３７】
この椅子を使用するには、図１〜図３に実線で示すように、肘掛け(13)を使用位置とし、かつ座(８)を使用位置として、その上に着座した状態で、テーブル(17)を使用位置(Ａ)とする。この状態で、着座者はテーブル(17)を利用して、筆記等を行うことができる。
離着席時には、テーブル(17)をはね上げ位置(Ｂ２)まで回動させるか、または、さらに第１折り畳み位置(Ｃ１)または第２折り畳み位置(Ｃ２)まで回動させておく。この状態では、テーブル(17)が離着席の妨げとなることはない。
【００３８】
椅子の収納時に、スタッキングしておきたいときは、図１〜図３に想像線で示すように、各椅子の肘掛け(13)を折り畳み位置とし、かつテーブル(17)を第１折り畳み位置(Ｃ１)として、図１１に示すように、上段の前後脚(２)(３)が下段の前後脚(２)(３)を跨ぎ、下段の連結部材(５)の上に上段の連結部材(５)が乗るようにして、複数の椅子を積み重ねる。
このとき、各テーブル(17)は第１折り畳み位置(Ｃ１)に位置して、外下方に傾斜しているので、上下のテーブル(17)(17)同士が互いに干渉することなく、平行をなして接近することができ、高さが制限された収容空間に、多数の椅子を安定してスタッキングすることができる。
また、肘掛け(13)を折り畳み位置としておくことにより、各椅子を他の椅子の上に積み重ねるとき、肘掛け(13)が妨げとなることがない。
【００３９】
椅子の収納時に、ネスティングしておきたいときは、上述のスタッキング時の状態から、各テーブル(17)を第１折り畳み位置(Ｃ１)から第２折り畳み位置(Ｃ２)へわずかに回動させ、さらに、座(８)を、図４に示すように、はね上げ位置に回動させて、図１２に示すように、後方に向かって拡開する前方の椅子の左右の後脚(３)(３)間に、後方の椅子の前脚(２)(２)が後方より嵌合し、かつ後部が前部より外側方に偏倚するように傾斜している前方の椅子のテーブル(17)および肘掛け(13)の内方かつ若干後方にずれた位置に、後方の椅子のテーブル(17)および肘掛け(13)が位置するようにして、複数の椅子を前後方向に重ね合わせる。
【００４０】
このとき、各テーブル(17)および肘掛け(13)は第２折り畳み位置(Ｃ２)および折り畳み位置にそれぞれ位置して、後部が前部より外側方に偏倚するように傾斜しているので、前後のテーブル(17)(17)同士および肘掛け(13)(13)同士が互いに干渉し合うことがなく、前方のテーブル(17)および肘掛け(13)の内側後方に後方のテーブル(17)および肘掛け(13)が互いに平行をなして接近することができ、前後方向の長さが制限された収容空間に、多数の椅子を安定してネスティングすることができる。
【００４１】
なお、各テーブル(17)を第１折り畳み位置(Ｃ１)に位置させた状態でネスティングすることもできるが、この場合、各テーブル(17)が椅子の外側方に突出するので、各テーブル(17)を第２折り畳み位置(Ｃ２)としておくのが好ましい。
【００４２】
上記の実施形態は、ネスティングとスタッキングの両方を行えるようにしたものであるが、ネスティングを行う必要がない場合は、例えば図１３〜図１５に示す第２の実施形態のように、一方の連結部材(５)より前上方でかつ外側方に傾斜するように延出する支持杆(９)の上端に設けた支持キャップ(10)の前面に、前後方向を向く枢軸(40)を固定し、この枢軸(40)にテーブル(41)を、実線で示すように、座(８)の前上方においてほぼ水平をなす使用位置と、想像線で示すように、外下方に向かって傾斜する折り畳み位置とに移動可能として枢着するだけとしてもよい。
【００４３】
図１５に示すように、テーブル(41)の回動範囲を規制する規制手段(42)は、上述の第２規制手段(28)と同様の構成のもので、枢軸(40)の外周面にほぼ扇形の外向き突部(43)を設け、かつ枢軸(40)が嵌合されたテーブル(41)の軸受部(44)の内面に設けた拡径溝(45)の内面に内向き突部(46)を突設し、テーブル(41)が使用位置に位置しているときは、内向き突部(46)の一方の側端面が外向き突部(43)の一方の側端面に当接して、テーブル(41)の下方への回動を阻止し、またその位置からテーブル(41)が図１５における反時計回りに、例えば240〜250°回動して折り畳み位置に達すると、内向き突部(46)の他方の側端面が外向き突部(43)の他方の側端面に当接して、テーブル(41)のそれ以上の回動を阻止するようになっている。
【００４４】
その他の構成は第１の実施形態と同一であり、それらについては、第１の実施形態におけるのと同一の符号をもって図示し、詳細な説明は省略する。
【００４５】
この第２の実施形態においても、テーブル(41)を想像線で示す折り畳み位置として、複数の椅子を上下に積み重ねることにより、上下のテーブル(41)(41)同士が互いに干渉することなく、平行をなして接近することができ、高さが制限された収容空間に、多数の椅子を安定してスタッキングすることができるとともに、請求項１および２の効果として上述したとの同一の効果を奏することができる。
【図面の簡単な説明】
【００４６】
【図１】本発明の第１の実施形態の正面図である。
【図２】同じく、平面図である。
【図３】同じく、側面図である。
【図４】同じく、ネステッングするときの状態とした側面図である。
【図５】同じく、肘掛けとテーブルの取付部材の分解斜視図である。
【図６】同じく、支持キャップの側面図である。
【図７】同じく、テーブルを使用位置としたときの第１枢軸の中心線を含む垂直面で縦断したときの縦断側面図である。
【図８】同じく、図７のＶIII−ＶIII線に沿う縦断正面図である。
【図９】同じく、テーブルをはね上げ位置としたときの図８と同様の部分の縦断正面図である。
【図１０】同じく、図７のＸ−Ｘ線に沿う拡大縦断正面図である。
【図１１】同じく、２個の椅子をスタッキングしたときの側面図である。
【図１２】同じく、２個の椅子をネスティングしたときの側面図である。
【図１３】本発明の第２の実施形態の正面図である。
【図１４】同じく、平面図である。
【図１５】同じく、図１４のＸＶ−ＸＶ線に沿う拡大縦断正面図である。
【符号の説明】
【００４７】
(１)脚体
(２)前脚
(３)後脚
(４)連結杆
(５)連結部材
(６)背杆
(７)背凭れ
(８)座
(９)支持杆
(10)支持キャップ
(10a)筒部
(11)テーブル支持軸(第１枢軸)
(12)肘掛け支持軸
(13)肘掛け
(14)第２枢軸
(14a)拡径段部
(14b)角軸
(15)軸孔
(16)外装体
(16a)第１筒部
(16b)第２筒部
(17)テーブル
(18)天板
(19)ねじ
(20)ブラケット
(21)軸孔
(22)ブッシュ
(23)第１規制手段
(24)スリット
(25)ねじ孔
(26)有頭ねじ
(26a)雄ねじ部
(26b)拡径頭部
(27)作業孔
(28)第２規制手段
(29)拡径段孔
(29a)内向き突部
(30)停止板
(30a)外向き突部
(31)角孔
(32)スプリングワッシャ
(33)押え板
(34)止めねじ
(35)弾圧保持手段
(36)凹条
(37)凹部
(38)板ばね
(38a)外向き折曲部
(38b)内向き突部
(39)係合溝
(40)枢軸
(41)テーブル
(42)規制手段
(43)外向き突部
(44)軸受部
(45)拡径溝
(46)内向き突部
(Ａ)使用位置
(Ｂ１)中間位置
(Ｂ２)はね上げ位置
(Ｃ１)第１折り畳み位置
(Ｃ２)第２折り畳み位置
【図１】
2005245868.tif 000003
【図２】
2005245868.tif 000004
【図３】
2005245868.tif 000005
【図４】
2005245868.tif 000006
【図５】
2005245868.tif 000007
【図６】
2005245868.tif 000008
【図７】
2005245868.tif 000009
【図８】
2005245868.tif 000010
【図９】
2005245868.tif 000011
【図１０】
2005245868.tif 000012
【図１１】
2005245868.tif 000013
【図１２】
2005245868.tif 000014
【図１３】
2005245868.tif 000015
【図１４】
2005245868.tif 000016
【図１５】
2005245868.tif 000017